(57)【要約】  本発明は、呼気弁を有するマウスピース（１）を有しており、該マウスピースから出発して、２つの部分に分かれている空気ホース（９、１０）が、該２つの部分に分かれている空気ホースのそれぞれのホース端部を受け入れるヘッド部（２）へと続いている泳者用呼吸マスクに関する。本発明によれば、前記ヘッド部（２）が、使用時に泳者の頭部の後ろ側に当接するフレーム状の弾力的な支持面（２０）を有する。前記ヘッド部に、吸気弁（７）のための凹所が設けられ、前記吸気弁を有する前記凹所は、前記支持面の反対側に位置する。さらに、前記空気ホースのうちの少なくとも一方に長さの調節のためのインサート（８）が存在し、前記吸気弁および前記呼気弁の各々が、フラッタ弁の形態にて具現化され、好ましくは同一の構造を有するようにも構成される。【選択図】図１
2014533632.tif 000002
【特許請求の範囲】
【請求項１】
呼気弁を有するマウスピースを備えており、該マウスピースから出発して、２つの部分に分かれている空気ホースが、該２つの部分に分かれている空気ホースのそれぞれのホース端部を受け入れるヘッド部へと続いている泳者用呼吸マスクであって、
前記ヘッド部が、使用時に泳者の頭部の後ろ側に当接するフレーム状の弾力的な支持面を有し、
吸気弁のための凹所が、前記ヘッド部に設けられ、前記吸気弁を含む前記凹所が、前記支持面の反対側に位置し、
さらに長さの調節のためのインサートが、前記空気ホースのうちの少なくとも一方に設けられ、
前記吸気弁および前記呼気弁の各々が、フラッタ弁として構成され、好ましくは同一の構成であることを特徴とする泳者用呼吸マスク。
【請求項２】
各々の弁が、弁膜をそれぞれ受け止める弁支持体を備えており、１つの弁キャップを、それぞれの弁支持体へと取り付けることができ、前記弁支持体および前記弁キャップが、前記受け止めたそれぞれの弁膜の運動の経路を制限することを特徴とする請求項１に記載の呼吸マスク。
【請求項３】
前記弁支持体が、少なくとも２つの交差するウェブを備えており、前記ウェブの一方が、前記弁膜のための固定面または固定縁を形成していることを特徴とする請求項２に記載の呼吸マスク。
【請求項４】
前記弁キャップが、該キャップの内側を向いたウェブ状の突起を備え、該ウェブ状の突起が、組み立てられた状態において前記弁支持体の前記ウェブのうちの１つに対向して位置することで、前記弁膜を締め付けの様相で固定するが、前記弁膜は、前記締め付けの軸に対して垂直な方向に依然として可動であることを特徴とする請求項３に記載の呼吸マスク。
【請求項５】
前記弁支持体が、前記ヘッド部に一体化されていることを特徴とする請求項２に記載の呼吸マスク。
【請求項６】
前記弁支持体が、前記ヘッド部の前記凹所へと挿入され、該凹所の領域にウェブが位置しており、該ウェブが、組み立てられた状態において前記弁支持体の前記ウェブのうちの１つに対向して位置することで、前記弁膜を締め付けの様相で固定するが、前記弁膜は、前記締め付けの軸に対して垂直な方向に依然として可動であることを特徴とする請求項３に記載の呼吸マスク。
【請求項７】
前記弁膜が、呼気の方向において、前記弁キャップの内側に当接することによって流路を妨げず、吸気の方向において、前記弁支持体のシール縁に当接することによって流路を閉鎖することを特徴とする請求項４に記載の呼吸マスク。
【請求項８】
前記弁膜が、吸気の方向において、前記凹所の内部へと移動することによって流路を妨げず、呼気の過程において、前記凹所に設けられた前記弁支持体のシール縁へと移動し、該シール縁に当接することで、流路を閉鎖することを特徴とする請求項６に記載の呼吸マスク。
【請求項９】
前記弁膜が、代案または補足として、噛み合いの様相で前記弁インサートへと固定されることを特徴とする請求項２〜８のいずれか一項に記載の呼吸マスク。
【請求項１０】
前記それぞれの弁キャップが、前面または端面において少なくとも部分的に閉じており、縁または外周に開口スロットを備えていることを特徴とする請求項２〜９のいずれか一項に記載の呼吸マスク。
【請求項１１】
前記長さの調節のためのインサートが、２つのパイプ部分を受け入れるためのスリーブを備え、前記スリーブに雌ねじが形成され、前記パイプ部分に雄ねじが形成されており、反対向きであるねじ山の向きにより、前記スリーブを回転させたときに、前記パイプ部分および該パイプ部分へと接続されたホース端部のお互いに対する距離が変化し、全体としての集合体の長さの調節が達成されることを特徴とする請求項１〜１０のいずれか一項に記載の呼吸マスク。
【請求項１２】
前記弁支持体が、交差するウェブを備えたスリーブの形状または円筒の形状を有しており、前記弁膜のためのシール面が、前記円筒の一方の前面の表面または中に設けられていることを特徴とする請求項２〜１１のいずれか一項に記載の呼吸マスク。
【請求項１３】
前記弁膜が、円の形状または楕円の形状を有していることを特徴とする請求項１２に記載の呼吸マスク。
【請求項１４】
前記弁膜が、中心点を通って延びている補強部または補強ウェブを備えており、該補強部または補強ウェブが、前記弁膜の運動の中心軸を定めていることを特徴とする請求項１３に記載の呼吸マスク。
【請求項１５】
前記弁膜が、外周縁に角のあるオフセットを有しており、該角のあるオフセットが、前記弁支持体の相補的に成形された部分に実質的に対応することを特徴とする請求項２〜１０または１２のいずれか一項に記載の呼吸マスク。
【請求項１６】
前記成形された部分が、前記円筒の一方の前面に形成されていることを特徴とする請求項１２および１５に記載の呼吸マスク。
【請求項１７】
水泳帽に一体化されていることを特徴とする請求項１〜１６のいずれか一項に記載の呼吸マスク。
【請求項１８】
前記水泳帽にイヤホンが組み込まれていることを特徴とする請求項１７に記載の呼吸マスク。
【請求項１９】
少なくとも１つの接続ホースが、前記マウスピースと鼻との間に設けられていることを特徴とする請求項１〜１８のいずれか一項に記載の呼吸マスク。
【請求項２０】
開いた鼻プラグが、前記少なくとも１つの接続ホースにおいて前記マウスピースとは反対側の端部に形成されていることを特徴とする請求項１９に記載の呼吸マスク。
【請求項２１】
鼻カバーが、前記少なくとも１つの接続ホースへと前記マウスピースとは反対側の端部に取り付けられていることを特徴とする請求項１９または２０に記載の呼吸マスク。
【請求項２２】
前記鼻カバーを、粘着力および／または真空によって種々の鼻形状へと適合させることができることを特徴とする請求項２１に記載の呼吸マスク。
【発明の詳細な説明】
【技術分野】
【０００１】
本発明は、呼気弁を有するマウスピースを備えており、このマウスピースから出発して、２つの部分に分かれている空気ホースが、この２つの部分に分かれている空気ホースのそれぞれのホース端部を受け入れるヘッド部へと続いている請求項１に記載の泳者用呼吸マスクに関する。
【背景技術】
【０００２】
２つの部分に分かれている空気ホースと、呼気弁を有するマウスピースとを備えるシュノーケルとして構成された呼吸マスクが、米国特許出願公開第２００７／０２６７０１２号に記載されている。この文献に記載の空気ホースは、マウスピースに隣接する領域において柔軟であるように構成され、射出成形によるプラスチック部品で形成されている。
【０００３】
国際公開第０１／０５６５０号パンフレットが、２本の空気パイプを備えており、それらの空気パイプが、マウスピースから出発して、角のある形状を有している水泳用シュノーケルを示している。パイプ部分の開口端の領域に、接続ブリッジが設けられている。
【０００４】
米国特許出願公開第２００４／００３５４１４号による水中呼吸装置は、１部分からなる空気ホースに基づいている。両方のホース端部、すなわちマウスピースに近いホースの端部およびマウスピースから離れた端部が、弁インサートをそれぞれ有している。
【０００５】
特にはシュノーケルとして設計された欧州特許第１１９４３２９号による一般的なダイビング装置が、２つに分けられた弾力的な空気ホースとしてマウスピースから出発しているシュノーケル管を備えており、マウスピースから出発してユーザの頭部に当接して位置する個々のホースが、使用の状態においてユーザの頭部に沿って延び、空気取り入れ穴が、頭部の後方の位置を占めている。そこで提案されている構成は、空気ホースの一部分または一部の空気ホースが、呼気の際に吐き出された空気で満たされることを防止することにある。このようにして、吸気の際に新鮮な外気だけが吸い込まれるように保証される。
【０００６】
この解決策によれば、吐き出された空気が個々のホースへと流れ戻ることがないようにする逆止弁が、個々のホースの各々に配置される。さらに、所定の空気圧に達したときに、個々のホースの内部と外部環境との間の流れの接続を形成する圧力制御弁が、マウスピースに配置されている。使用済みの吐き出された空気は、空気取り入れ穴の領域へと別の戻りホースを通って導かれることがなく、完全に新鮮な空気を次の吸気のために再び入手できるよう、マウスピースにおいて直接、ダイビング装置から流れ出る。
【０００７】
欧州特許第１１９４３２９号の一実施の形態によれば、外側に位置する圧力制御弁の出口穴を、好ましくは吐き出された空気を視野の外へと横方向に運ぶ別のホース部材へと接続することが提案されている。
【０００８】
欧州特許第１１９４３２９号による構成は、実際に有用であることが示されているが、シュノーケルの構造を単純にするとともに、ダイビング装置を種々の使用の状況に適合できるようにする長さの調節を可能にするために、さらなる進歩の必要性が存在する。
【発明の概要】
【発明が解決しようとする課題】
【０００９】
したがって、以上に基づき、本発明の目的は、呼気弁を有するマウスピースを備えており、このマウスピースから出発して、２つの部分に分かれている空気ホースが、この２つの部分に分かれている空気ホースのそれぞれのホース端部を受け入れるヘッド部へと続いている泳者用呼吸マスクであって、呼吸マスクについて製造すべき部品の数を減らすことができ、それぞれの泳者の体格への適合を実現でき、吸気および呼気の抵抗が顕著に小さいさらに進歩した泳者用呼吸マスクを提供することにある。
【課題を解決するための手段】
【００１０】
本発明の目的に対する解決策は、請求項１による特徴の組み合わせを備える泳者用呼吸マスクによって実現される。従属請求項が、少なくとも有用な実施の形態およびさらなる発展を定める。
【００１１】
したがって、呼気弁を有するマウスピースを備えており、該マウスピースから出発して、２つの部分に分かれている空気ホースがヘッド部へと通じ、このヘッド部において再び一緒になっている泳者用呼吸マスクが提案される。この点に関し、ヘッド部が、２つの部分に分かれている空気ホースのそれぞれのホース端部を受け入れる。
【００１２】
本発明によれば、ヘッド部が、人間の頭部の後ろ側の身体構造的な様相を近似し、あるいはそのような様相に一致する外形を有するフレーム状の弾力的な支持面を有する。この措置は、呼吸マスクの着用の快適さを大幅に改善する。
【００１３】
さらに、吸気弁のための凹所がヘッド部に設けられ、吸気弁を含むこの凹所が、上述の支持面の反対側に位置する。
【００１４】
さらに、長さの調節のためのインサートが、空気ホースのうちの少なくとも一方に設けられる。
【００１５】
吸気弁および呼気弁の各々が、フラッタ弁として構成される。好ましくは、両方の弁が、構造的に異なる単独部品の数を減らし、したがって呼吸マスクの製造コストを下げるために、同一の構成である。
【００１６】
本発明によれば、各々の弁が、弁膜をそれぞれ受け止める弁支持体を備え、１つの弁キャップを、それぞれの弁支持体へと取り付けることができる。一方の弁支持体および他方の弁キャップが、それぞれの弁膜の運動の経路を制限し、したがってストッパのように機能する。
【００１７】
好ましい実施の形態においては、前記弁支持体が、少なくとも２つの交差するウェブを備え、これらのウェブのうちの１つが、前記弁膜のための固定面または固定縁を形成する。
【００１８】
前記弁キャップが、キャップの内側を向いたウェブ状の突起を備え、このウェブ状の突起が、組み立てられた状態において前記弁支持体のウェブのうちの１つに対向して位置することで、前記弁膜を締め付けの様相で固定するが、前記弁膜は、前記締め付けの軸に対して垂直な方向に依然として可動である。
【００１９】
この実施の形態において、前記弁膜を、上述の締め付けによって固定することができる。例えば噛み合いまたは締まりばめによる補助または代替の固定方法も、当然ながら考えられる。
【００２０】
本発明の有用なさらなる発展において、前記吸気弁のための弁支持体を、前記ヘッド部に一体化させることができる。
【００２１】
しかしながら、前記弁支持体は、好ましくは前記ヘッド部の上述の凹所へと挿入され、この凹所の領域にウェブが位置しており、このウェブが、組み立てられた状態において前記弁支持体のウェブのうちの１つに対向して位置することで、前記弁膜を締め付けの様相で固定する。しかしながら、この弁の膜は、本発明によるフラッタ弁の作用を実現するために、前記締め付けの軸に対して垂直な方向に依然として可動である。
【００２２】
前記マウスピースに位置する前記呼気弁の弁膜が、そこに位置する弁キャップの内側に当接することによって流路を妨げず、この膜が、吸気の方向において、前記弁支持体のシール縁に当接することによって流路を閉鎖する。
【００２３】
呼吸マスクの前記ヘッド部に位置する吸気弁においては、前記弁膜が、吸気の方向において、前記凹所の内部へと移動することにより、流路が妨げられることがない。呼気の過程において、前記弁膜が、そこに設けられた前記弁支持体のシール縁へと移動する。最終的に、呼気の過程において前記弁膜が前記シール縁に当接することで流路が閉鎖され、したがって使用済みの空気をマウスピースに位置する弁を通って吹き出させることによって、呼気を実行することができる。
【００２４】
前記それぞれの弁キャップは、前面において少なくとも部分的に閉じられ、縁または外周に開口スロットを備える。呼気弁に開口スロットを配置することで、さらなる手段を必要とすることなく、泳者の視野が気泡によって囲まれることがないように空気を流出させることができる。
【００２５】
吸気弁に関しては、弁キャップが、望ましくない水の吸い込みを防止できるように構成および配置される。
【００２６】
長さの調節のための本発明によるインサートは、少なくとも一方のホース部分、好ましくは両方のホース部分のそれぞれに、２つのパイプ部分を受け入れるための１つのスリーブを備え、このスリーブに雌ねじが形成され、前記パイプ部分に雄ねじが形成されている。反対向きであるねじ山の向きにより、前記スリーブを回転させたときに、前記パイプ部分およびこれらのパイプ部分へと接続されたホース端部のお互いに対する距離が変化し、したがって長さの調節およびそれぞれのユーザの身体構造的な様相への適合が、容易に可能である。
【００２７】
本発明の一実施の形態においては、前記弁支持体が、上述の交差するウェブを備えるスリーブの形状または円筒の形状を有し、前記弁膜のためのシール面が、前記円筒の一方の前面の表面または中に設けられる。
【００２８】
本発明のさらなる発展においては、前記弁膜が、ほぼ円の形状を有し、あるいは長円または楕円の形状を有する。
【００２９】
前記弁膜は、中心点を通って延びる補強部を備えることができ、この補強部が、前記弁膜の運動の中心軸を定める。この軸は、例えば、上述の楕円の一方の主軸であってよく、あるいは弁膜の直径のうちの１つに対応することができる。
【００３０】
本発明のさらなる発展によれば、前記弁膜が、外周縁に角のあるオフセットを有する。この角のあるオフセットが、前記弁支持体の相補的に成形された部分に実質的に対応する。
【００３１】
前記弁支持体の前記成形された部分は、前記円筒の一方の前面に位置する。前記弁膜に対応する圧力の荷重が加わる場合に、弁膜の角のあるオフセットが、前記成形された部分の領域へと前記弁支持体に押し付けられ、結果としてシールの面積が増し、所望の高い気密性がもたらされる。
【００３２】
弁膜に使用されるべき材料は、シリコーンまたは天然ゴムであってよい。弁膜のそれぞれの擬似的に２つの弁フラップゆえに、それぞれの単位時間に関して、より多くの量の空気を吸い込み、あるいは取り除くことができ、結果的に、呼吸のプロセスにおいて必要とされる空気の量を制限することなく、弁のサイズを小さくすることができる。
【００３３】
さらに、この泳者用呼吸マスクを、水泳帽に一体化させることが可能である。この場合、吸気弁への空気の供給が常に保証されるよう、水泳帽が、吸気弁の領域に、この吸気弁を通すための開口を有さなければならない。また、この水泳帽にイヤホンを組み込むことも可能である。
【００３４】
本発明の別の実施の形態においては、少なくとも１つの接続ホースが、前記マウスピースと鼻との間に設けられる。２ベローズ型のホースも考えられる。この接続ホースは、鼻呼吸を可能にする。一方では、開いた鼻プラグを、前記少なくとも１つの接続ホースに形成することが可能であると考えられ、これらの鼻プラグは、前記接続ホースの前記マウスピースとは反対側の端部に位置する。他方では、鼻カバーを、前記少なくとも１つの接続ホースへと取り付けることができる。前記鼻カバーまたはプラスチックの鼻を、鼻の周囲への密着を保証し、鼻への水の進入を防止するために、粘着力または真空によって種々の鼻形状へと適合させることができる。
【００３５】
基本的には、ここで紹介された弁を、他の用途に使用することも可能である。
【００３６】
本発明を、典型的な実施の形態によって、図面の助けを借りて、以下でさらに詳しく説明する。
【図面の簡単な説明】
【００３７】
【図１】本発明による泳者用呼吸マスクの分解図を示している。
【発明を実施するための形態】
【００３８】
この実施の形態による呼吸マスクは、組み立てられた状態において泳者の頭部に当接して位置する２つの部分に分かれている空気ホースを形成する４つのホースセグメント９、１０を備えている。
【００３９】
結合スリーブ１１が、セグメント９および１０のそれぞれのホース端部をヘッド部２およびマウスピース１に取り付ける役目を果たす。
【００４０】
ヘッド部２は、中心部の周囲にフレームを形成しているフレーム状の弾力的な支持面２０を備えている。
【００４１】
吸気弁のための凹所が、ヘッド部２に設けられている。吸気弁を備えるこの凹所は、支持面２の反対側に位置している。
【００４２】
吸気弁は、弁支持体７と、弁キャップ４と、固定／補強ウェブ５１を有する弁膜５とで構成される。
【００４３】
弁支持体７は、それぞれ交差する２つのウェブ７１、７２を備える円筒、スリーブの形状を有している。
【００４４】
弁キャップ４は、背面（４１）において閉じられており、縁に開口スロット４２を備えている。
【００４５】
弁支持体７の形状は、例えばロックされた接続を可能にするようにヘッド部２の凹所（図では見て取ることができない）に合わせられている。
【００４６】
組み立てられた状態において、弁膜５は、弁インサート７に密封の様相で当接するか、あるいは流路を遮らないように、ウェブ５１上の軸を中心にして運動することができる。
【００４７】
マウスピース１が、パイプセグメント９、１０の該当の端部を場合によっては結合スリーブ１１の助けを借りて固定する役目を果たす２つの横接続片１００を備えている。
【００４８】
マウスピース１は、前部に、呼気弁の弁インサート６が挿入される流通穴を有している。
【００４９】
弁インサート６を備える呼気弁も、互いに実質的に直角に向けられた２つのウェブ６２および６３を備えている。
【００５０】
呼気弁の弁膜５も、やはり補強ウェブ５１を有している。
【００５１】
呼気弁の弁キャップ４０を、マウスピース１、弁インサート６へとそれぞれ締まりばめの様相で接続することができるが、噛み合いの様相で接続することも可能である。弁キャップ４０は、流出する空気が泳者の視野を囲むことがないように配置されたいくつかのスロット状の空気出口穴４２を備えている。
【００５２】
マウスピース１は、公知のシュノーケルに実質的に一致する噛み板１１０をさらに備える。
【００５３】
空気ホースを長くし、すなわちマウスピース１とヘッド板２との間の位置を変化させるために、雌ねじを有するスリーブ８を各々が備えている調節手段が設けられる。雌ねじを有するスリーブ８が、ねじ山付きのパイプ部分８１および８２をそれぞれ受け入れる。反対であるねじ山の向きにより、パイプ部分８１、８２は、スリーブ８を回転させることによって、お互いに向かって移動するか、あるいは互いに遠ざかるように移動し、したがってマウスピースとヘッド板との間の位置に関する長さまたは距離が調節される。
【００５４】
セグメント９および１０は、呼吸マスクの取り扱いの改善ももたらす補強用の外形２０を有することができる。
【００５５】
吸気弁および呼気弁のそれぞれの弁膜５は、同一の構成であり、必要であれば容易に交換可能である。
【００５６】
図示の実施の形態においては、パイプセグメントがほぼ円形の断面を有しているが、所望であれば、円形から外れる形状を、呼吸マスクの流れの抵抗を最小限にするために使用することができる。
【００５７】
調節機構８、８１、８２は、必要な場合に、清掃のための空気ホースの切り離しも可能にする。
【００５８】
ヘッド板と、マウスピースと、２つの部分に分かれており、長さを調節することが可能である空気ホースとを備える全体構成が、他の技術的手段を必要とすることなく、激しい泳ぎの運動においても呼吸マスクが失われたり、あるいは滑り落ちたりする恐れなく、呼吸マスクを泳者の頭部に確実に取り付けることを可能にする。
【００５９】
単にただ１つの吸気弁がそれぞれ、ヘッド部に設けられ、組み込まれ、これが両翼のフラッタ弁として構成されているがゆえに、より大量の空気の吸入であっても通りにくくなることがない。したがって、泳者が、平泳ぎまたはクロールにおいて通常必要とされる頭部の横回転運動または上下運動を実行しなくてもよい。これにより、特には頸椎の負担が軽減され、水泳がさらに楽しいものになる。
2014533632.tif 000003
【国際調査報告】
2014533632.tif 000004
2014533632.tif 000005
2014533632.tif 000006
2014533632.tif 000007
2014533632.tif 000008
2014533632.tif 000009